(57)【要約】【課題】照明負荷を消灯する際に消灯予告点灯が行われないのを防止することのできる照明制御スイッチを提供する。【解決手段】検知範囲内における人の存否を検知する人感センサＳ１からの信号に基づいて照明負荷Ｌ１の点灯制御を行う制御部１０と、使用者の操作入力に基づいて照明負荷Ｌ１の下限照度を設定する下限照度設定部２７とを備え、制御部１０は、人感センサＳ１が人を検知しなくなると、照明負荷Ｌ１を下限照度以上の照度で一定時間点灯させてから消灯させる消灯予告点灯を行う。【選択図】図１
2014086189.tif 000002
【特許請求の範囲】
【請求項１】
検知範囲内における人の存否を検知する人感センサからの信号に基づいて照明負荷の点灯制御を行う制御部と、使用者の操作入力に基づいて前記照明負荷の下限照度を設定する下限照度設定部とを備え、
前記制御部は、前記人感センサが人を検知しなくなると、前記照明負荷を前記下限照度以上の照度で一定時間点灯させてから消灯させる消灯予告点灯を行うことを特徴とする照明制御スイッチ。
【請求項２】
前記制御部及び前記下限照度設定部を収納する器体と、前記器体に着脱自在に取り付けられる化粧カバーとを備え、前記下限照度設定部は、その操作入力を受け付ける部位が前記化粧カバーによって覆われることを特徴とする請求項１記載の照明制御スイッチ。
【発明の詳細な説明】
【技術分野】
【０００１】
本発明は、照明負荷への電力供給を制御する照明制御スイッチに関する。
【背景技術】
【０００２】
従来から、廊下や階段などに設置されて、廊下灯や階段灯などの照明負荷への電力供給を入／切するために使用される照明制御スイッチが知られている。また、トイレに設置された照明負荷への電力供給の入／切に加えて、例えば換気扇のような他の負荷のタイマ制御を行えるようにした照明制御スイッチも従来から提供されており、例えば特許文献１に開示されている。
【０００３】
この特許文献１に記載の照明制御スイッチは、照明負荷のオン／オフ操作を行うための押操作部と、１日の内で照明負荷を減光点灯させる調光時間帯を設定するための調光時間帯設定部とを器体の前面に配置している。また、この照明制御スイッチは、照明負荷への電力供給の入／切及び電力供給量の調整を行う照明制御部と、押操作部のオン／オフ操作に応じて照明制御部を制御する点灯制御部とを器体の内部に配置している。そして、例えば深夜帯を調光時間帯として一旦設定しておけば、調光時間帯に押操作部がオン操作されると、点灯制御部は、調光時間帯における照明負荷の点灯出力を自動的に減光させる。したがって、この照明制御スイッチは、調光時間帯において使用者が眩しいと感じたり、覚醒して寝付きにくくなるのを防止できるという効果がある。
【先行技術文献】
【特許文献】
【０００４】
【特許文献１】特開２００８−４５２０号公報
【特許文献２】特開平５−６６７１８号公報
【発明の概要】
【発明が解決しようとする課題】
【０００５】
ところで、近年では高輝度で低消費電力の発光ダイオード（以下、「ＬＥＤ」と呼ぶ）が照明用途に使用されつつあり、従来の白熱電球と同じ口金を有するＬＥＤランプも提供されている。このようなＬＥＤランプを照明制御スイッチの照明負荷として用いることは当然に考えられる。そして、白熱電球と同様に位相制御で調光可能な発光ダイオード表示素子（ＬＥＤランプ）が例えば特許文献２に開示されている。ＬＥＤランプは、点灯に最低限必要な電圧以上の電圧を印加する、すなわち一定以上の電力供給が行われると初めて点灯するという特性を有する。言い換えると、ＬＥＤランプは、一定以上の電力供給が行われなければ点灯しない。
【０００６】
ここで、上記従来例のような照明制御スイッチでは、照明負荷を消灯する際にいきなり消灯するのではなく、照明負荷を減光して一定時間点灯させることで消灯を予告する消灯予告点灯を行うものがある。しかしながら、照明負荷としてＬＥＤランプを用いた場合、減光するために照明負荷への電力供給量を減らすと、電力供給量によっては照明負荷が消灯してしまい消灯予告点灯が行われない虞があった。
【０００７】
本発明は、上記の点に鑑みて為されたもので、照明負荷を消灯する際に消灯予告点灯が行われないのを防止することのできる照明制御スイッチを提供することを目的とする。
【課題を解決するための手段】
【０００８】
本発明の照明制御スイッチは、検知範囲内における人の存否を検知する人感センサからの信号に基づいて照明負荷の点灯制御を行う制御部と、使用者の操作入力に基づいて前記照明負荷の下限照度を設定する下限照度設定部とを備え、前記制御部は、前記人感センサが人を検知しなくなると、前記照明負荷を前記下限照度以上の照度で一定時間点灯させてから消灯させる消灯予告点灯を行うことを特徴とする。
【０００９】
この照明制御スイッチにおいて、前記制御部及び前記下限照度設定部を収納する器体と、前記器体に着脱自在に取り付けられる化粧カバーとを備え、前記下限照度設定部は、その操作入力を受け付ける部位が前記化粧カバーによって覆われることが好ましい。
【発明の効果】
【００１０】
本発明は、照明負荷の下限照度を下限照度設定部で設定することができる。そして、本発明では、人感センサが人を検知しなくなると、制御部が照明負荷を下限照度以上の照度で一定時間点灯させてから消灯させる消灯予告点灯を行う。したがって、本発明では、照明負荷を消灯する際に消灯予告点灯が行われないのを防止することができる。
【図面の簡単な説明】
【００１１】
【図１】本発明に係る照明制御スイッチの実施形態を示す図で、（ａ）は回路概略図で、（ｂ）は照明制御の動作を示すタイムチャート図である。
【図２】同上の照明制御スイッチの全体斜視図で、（ａ）は扉体を閉じた状態を示す図で、（ｂ）は扉体を開いた状態を示す図である。
【図３】同上の照明制御スイッチの操作部を示す図で、（ａ）は化粧カバーを取り付けた状態の図で、（ｂ）は化粧カバーを取り外した状態の図である。
【図４】同上の照明制御スイッチの調光レベルの設定に関する説明図で、（ａ）は調光レベルのデータテーブルを示す図で、（ｂ）は下限照度及び調光時間帯における上限照度と調光レベルとの相関を示す図である。
【図５】（ａ），（ｂ）は、同上の照明制御スイッチにおける位相制御の説明図である。
【図６】（ａ）は従来の照明制御スイッチの動作を示す図で、（ｂ）は本実施形態の照明制御スイッチの動作を示す図である。
【発明を実施するための形態】
【００１２】
以下、本発明に係る照明制御スイッチの実施形態について図面を用いて説明する。本実施形態は、図１（ａ）に示すように、制御部１０と、電源部１１と、フィルタ部１２と、ゼロクロス検出部１３と、リレー駆動部１４と、表示部１５と、操作部２とを備える。また、本実施形態は、接続端子Ｔ１〜Ｔ３と、全波整流器ＤＢ１と、トライアックＴＲ１と、サイリスタＳＣＲ１と、リレーＲＥ１と、ヒューズＦＵ１とを備える。
【００１３】
接続端子Ｔ１，Ｔ２間には、商用交流電源ＡＣ１と、例えばＬＥＤランプのような照明負荷Ｌ１との直列回路を接続している。また、接続端子Ｔ１，Ｔ２には、全波整流器ＤＢ１の交流入力端子をそれぞれ接続している。接続端子Ｔ１，Ｔ３間には、商用交流電源ＡＣ１と、換気扇Ｆ１との直列回路を接続している。また、接続端子Ｔ１と後述するフィルタ部１２との間には、定格以上の大電流から回路を保護するためにヒューズＦＵ１を接続している。
【００１４】
全波整流器ＤＢ１は、ダイオードブリッジから成り、接続端子Ｔ１，Ｔ２から入力される交流電圧を全波整流して直流電圧（脈流電圧）を出力する。全波整流器ＤＢ１の各交流入力端子にはトライアックＴＲ１の２つの主端子をそれぞれ接続している。また、トライアックＴＲ１のゲート端子及び一方の主端子の間には、抵抗Ｒ１及びコンデンサＣ１から成る回路を接続している。全波整流器ＤＢ１の直流出力端子間には、抵抗Ｒ３とサイリスタＳＣＲ１との直列回路を接続している。また、サイリスタＳＣＲ１のゲート及びカソードの間には、抵抗Ｒ２及びコンデンサＣ２から成る回路を接続している。
【００１５】
制御部１０は、例えばマイクロコントローラから成り、後述する操作部２及び人感センサＳ１及び明るさセンサＳ２からの信号に基づいて照明負荷Ｌ１の点灯制御及び換気扇Ｆ１の運転制御を行う。制御部１０には、検知範囲内における人の存否を検知する人感センサＳ１と、検知範囲内の明るさを検知する明るさセンサＳ２とを接続している。
【００１６】
人感センサＳ１は、例えば焦電センサから成り、人体等の物体から輻射される赤外線を検知することで人の存否を検知し、人を検知すると検知信号を制御部１０に向けて出力する。明るさセンサＳ２は、例えばフォトトランジスタやフォトダイオードから成り、周囲の明るさを検知して光量に応じたレベルの信号を制御部１０に向けて出力する。なお、本実施形態では、人感センサＳ１及び明るさセンサＳ２を後述する器体３に内蔵しているが、各センサＳ１，Ｓ２を器体Ｂ１の外部に設置する構成であってもよい。この場合、各センサＳ１，Ｓ２から制御部１０に向けて信号を出力する方法は、有線・無線のいずれでも構わない。
【００１７】
電源部１１は、全波整流器ＤＢ１から出力される脈流電圧を受けて制御部１０及び後述するリレー駆動部１４の動作電圧を生成し、制御部１０及びリレー駆動部１４に供給する。フィルタ部１２は、例えばＬＣフィルタから成り、制御部１０側から商用交流電源ＡＣ１へと伝播するノイズを低減する。
【００１８】
ゼロクロス検出部１３は、全波整流器ＤＢ１によって全波整流された脈流電圧と、所定の閾値との高低を比較することで、商用交流電源ＡＣ１のゼロクロスを検出する。ゼロクロス検出部１３は、脈流電圧が所定の閾値よりも低ければローレベル、脈流電圧が所定の閾値よりも高ければハイレベルとなる２値信号を制御部１０に向けて出力する。
【００１９】
リレーＲＥ１は、例えばリレー接点と励磁コイル（図示せず）とから成る。リレー接点は換気扇Ｆ１と直列に接続されている。リレー駆動部１４は、制御部１０からの制御信号に応じてリレーＲＥ１の励磁コイルに励磁電流を供給する。すなわち、励磁コイルに励磁電流が供給されると、リレー接点がオンに切り換わることで換気扇Ｆ１に動作電力が供給され、換気扇Ｆ１の運転が開始する。
【００２０】
表示部１５は、例えばＬＥＤ等の発光素子から成り、制御部１０によってその点灯状態（点灯、点滅、消灯）が制御される。本実施形態では、後述するように第１押釦スイッチＢ１及び第２押釦スイッチＢ２が下限照度設定部２７として機能する間は、表示部１５が点滅する。また、本実施形態では、照明負荷Ｌ１が消灯している間は、本実施形態の位置を示すために表示部１５が点灯する。
【００２１】
以下、本実施形態における照明負荷Ｌ１の点灯制御について説明する。制御部１０は、ゼロクロス検出部１３の出力する２値信号がローレベルからハイレベルに反転した時点から、後述する待機時間が経過すると、サイリスタＳＣＲ１のゲート端子に駆動電圧を供給する。すると、サイリスタＳＣＲ１がターンオンし、更にトライアックＴＲ１のゲート端子にも駆動電圧が供給されてトライアックＴＲ１がターンオンする。これにより、照明負荷Ｌ１に商用交流電源ＡＣ１からの交流電圧が供給され、照明負荷Ｌ１が点灯する。その後、商用交流電源ＡＣ１からの交流電圧の次のゼロクロスに達すると、トライアックＴＲ１及びサイリスタＳＣＲ１がターンオフし、照明負荷Ｌ１への交流電圧の供給が途絶える。すなわち、制御部１０は、照明負荷Ｌ１へ供給される交流電圧の導通角を制御することで、照明負荷Ｌ１へ供給する電力を調整し、照明負荷Ｌ１を所望の調光レベルで調光する。
【００２２】
ここで、制御部１０は、照明負荷Ｌ１の調光レベルのデータテーブル（図４（ａ）参照）を記憶している。このデータテーブルには、調光レベルと、各調光レベルと対応する待機時間とを、商用交流電源ＡＣ１の電源周波数（５０Ｈｚ、６０Ｈｚ）毎に記録している。待機時間とは、ゼロクロス検出部１３の出力する２値信号がローレベルからハイレベルに反転した時点から、トライアックＴＲ１がターンオンするまでの時間である。図５（ａ），（ｂ）に示すように、待機時間が短くなるほど導通角が大きくなって照明負荷Ｌ１の光出力が増大し、待機時間が長くなるほど導通角が小さくなって照明負荷Ｌ１の光出力が減少する。すなわち、待機時間が短くなるほど調光レベルが大きく、待機時間が長くなるほど調光レベルが小さくなる。本実施形態では、照明負荷Ｌ１の光出力を調光レベル０〜１２８に区分している。したがって、調光レベルが０であれば照明負荷Ｌ１は消灯し、調光レベルが１２８であれば照明負荷Ｌ１は全点灯（光出力が１００％）する。
【００２３】
次に、本実施形態の構造について図２を用いて簡単に説明する。なお、以下の説明では、特に断りの無い限りは、図２（ａ）に示す矢印により上下及び前後の向きを規定する。本実施形態は、図２（ａ）に示すように、器体３と、器体３の前面を覆うようにして器体３に取り付けられる化粧カバー４と、扉体５とを備える。扉体５は、化粧カバー４に取り付けられて、後述する照度設定部２６（下限照度設定部２７）を除いた操作部２を外部に臨ませる位置と、覆う位置との間で開閉自在となっている。
【００２４】
器体３の内部には、上記で説明した制御部１０、電源部１１、フィルタ部１２、ゼロクロス検出部１３、リレー駆動部１４、表示部１５などの回路部品を収納している。また、器体３の内部には、人感センサＳ１、明るさセンサＳ２、接続端子Ｔ１〜Ｔ３、全波整流器ＤＢ１、トライアックＴＲ１、サイリスタＳＣＲ１、リレーＲＥ１、ヒューズＦＵ１などの回路部品も収納している。器体３は、埋込配線器具用に規格化された取付枠（図示せず）に取付可能であり、所謂３個モジュール寸法に形成されている。ここで、取付枠に３個まで並べて取付可能な埋込配線器具の大きさを１個モジュール寸法といい、１個モジュール寸法の埋込配線器具を上下方向に沿って３個並べたのと同じ大きさを３個モジュール寸法という。
【００２５】
化粧カバー４は、合成樹脂により矩形板状に形成されており、器体３の前面に着脱自在に取り付けられる。化粧カバー４には、図２（ｂ），図３（ａ）に示すように、後述するモード設定部２０の第１スライドスイッチ２００，換気扇連動設定部２１の第２スライドスイッチ２１０をそれぞれ通すための２つの角孔４０を開口している。また、化粧カバー４には、後述する遅れ時間設定部２２の第１摘み２２０、継続時間設定部２３の第２摘み２３０、点灯保持時間設定部２４の第３摘み２４０、明るさセンサ設定部２５の第４摘み２５０をそれぞれ通すための４つの丸孔４１を開口している。したがって、使用者は、化粧カバー４を取り付けた状態で、各スライドスイッチ２００，２１０と、各摘み２２０〜２５０とを操作することができる。
【００２６】
また、器体３の前面には、図３（ｂ）に示すように、後述する照度設定部２６（下限照度設定部２７）の第１押釦スイッチＢ１と、第２押釦スイッチＢ２とを設けている。各押釦スイッチＢ１，Ｂ２（すなわち、操作入力を受け付ける部位）は、化粧カバー４によって覆われており、化粧カバー４を取り外すことで操作できるようになっている。したがって、使用者は、通常は照度設定部２６（下限照度設定部２７）を意識することがないため、後述するように調光時間帯における照明負荷Ｌ１の調光レベルを不用意に設定するのを回避することができる。
【００２７】
以下、操作部２を構成する各部について説明する。操作部２は、図１（ａ）に示すように、モード設定部２０と、換気扇連動設定部２１と、遅れ時間設定部２２と、継続時間設定部２３と、点灯保持時間設定部２４と、明るさセンサ設定部２５と、照度設定部２６と、下限照度設定部２７とを有する。
【００２８】
モード設定部２０は、図３（ａ）に示すように第１スライドスイッチ２００を有する。制御部１０は、第１スライドスイッチ２００による入力に応じて制御部１０の動作モードを第１モード、第２モード、第３モードの何れかに切り換えることができる。第１モードは、照明負荷Ｌ１を常に消灯させるモードである。第２モードは、人体の検知の有無に応じて照明負荷Ｌ１の点灯・消灯を切り換えるモードである。第３モードは、照明負荷Ｌ１を常に点灯させるモードである。本実施形態では、制御部１０の動作モードを第２モードに設定している。
【００２９】
換気扇連動設定部２１は、図３（ａ）に示すように第２スライドスイッチ２１０を有し、人感センサＳ１が人を検知したときに換気扇Ｆ１を連動させるか否かを設定するために用いられる。制御部１０は、第２スライドスイッチ２１０による入力に応じて動作モードを切り換える。本実施形態では、第２スライドスイッチ２１０による入力に応じて、人の入室時に照明負荷Ｌ１と連動して換気扇Ｆ１を動作させるモードと、人の退室時に換気扇Ｆ１を動作させるモードとを切り換えることができる。
【００３０】
なお、人の入室・退室は、人感センサＳ１により人を検知することで判定することができる。すなわち、制御部１０は、人感センサＳ１が人を検知していない状態で人を検知した場合は人が入室したと判定し、人を検知している状態で人を検知しなくなった場合は人が退室したと判定することができる。
【００３１】
遅れ時間設定部２２は、ロータリスイッチ（図示せず）と、ロータリスイッチの操作軸に取り付けられる第１摘み２２０（図３（ａ）参照）とを有し、後述する点灯保持時間の終了時点から換気扇Ｆ１を停止させるまでの遅れ時間を設定するために用いられる。制御部１０は、第１摘み２２０の回転位置に応じて換気扇Ｆ１の遅れ時間を設定する。本実施形態では、第１摘み２２０の回転位置に応じて、換気扇Ｆ１の遅れ時間を５分、１０分、１５分、３０分の４段階で設定することができる。
【００３２】
なお、遅れ時間設定部２２では、第１摘み２２０を回転位置によっては、換気扇Ｆ１を強制的にオフにする状態と、換気扇Ｆ１を連続動作させる状態とを選択することも可能となっている。したがって、遅れ時間設定部２２により換気扇Ｆ１を強制的にオフにする状態を選択すれば、集合住宅などで窓がないトイレ室内において換気扇Ｆ１の掃除を行う際に、照明負荷Ｌ１のみを点灯させることができる。また、遅れ時間設定部２２により換気扇Ｆ１を連続動作させる状態を選択すれば、換気扇Ｆ１を常時利用することが可能となる。
【００３３】
継続時間設定部２３は、ロータリスイッチ（図示せず）と、ロータリスイッチの操作軸に取り付けられる第２摘み２３０（図３（ａ）参照）とを有し、１日のうちで照明負荷Ｌ１を減光して点灯させる調光時間帯を設定するために用いられる。制御部１０は、第２摘み２３０の回転位置を監視しており、その回転位置が変化すると、その時の時刻を調光時間帯の開始時刻に設定し、且つ回転位置に応じて調光時間帯の継続時間を設定する。本実施形態では、第２摘み２３０の回転位置に応じて、調光時間帯の継続時間を４〜８時間まで１時間おきに設定することができる。制御部１０は、次に第２摘み２３０の回転位置が変化するまでの間は、毎日調光時間帯になると照明負荷Ｌ１を減光して点灯させる制御に切り換え、設定した継続時間が経過すると通常時の制御に切り換える。
【００３４】
点灯保持時間設定部２４は、ロータリスイッチ（図示せず）と、ロータリスイッチの操作軸に取り付けられる第３摘み２４０（図３（ａ）参照）とを有し、点灯保持時間を設定するために用いられる。ここで、点灯保持時間は、人感センサＳ１が人を検知しなくなった時点から、照明負荷Ｌ１を減光して消灯を予告する消灯予告点灯を行って照明負荷Ｌ１が消灯する時点までの時間を示す（図１（ｂ）参照）。制御部１０は、第３摘み２４０の回転位置に応じて点灯保持時間を設定する。本実施形態では、第３摘み２４０の回転位置に応じて、点灯保持時間を１０秒から３０分までの間で段階的に設定することができる。
【００３５】
明るさセンサ設定部２５は、回転式の可変抵抗器（図示せず）と、可変抵抗器の操作軸に取り付けられる第４摘み２５０（図３（ａ）参照）とを有する。明るさセンサ設定部２５は、人感センサＳ１が人を検知した際に制御部１０が照明負荷Ｌ１の点灯制御を行うか否かの明るさセンサＳ２の閾値を設定するために用いられる。可変抵抗器の抵抗値は、第４摘み２５０の回転に伴って変化する。制御部１０は、可変抵抗器の抵抗値に応じて明るさセンサＳ２の閾値を設定する。
【００３６】
例えば、第４摘み２５０の回転位置を「暗め」に近い位置に調整した場合、たとえ人感センサＳ１が人を検知したとしても、周囲が明るければ制御部１０は照明負荷Ｌ１の点灯制御を行わない。また、第４摘み２５０の回転位置を「切」の位置に調整した場合では、人感センサＳ１が人を検知すれば、周囲の明るさを問わず制御部１０は照明負荷Ｌ１の点灯制御を行う。
【００３７】
照度設定部２６は、第１押釦スイッチＢ１と、第２押釦スイッチＢ２とを有し、使用者の操作入力に基づいて調光時間帯における照明負荷Ｌ１の光出力の上限照度を設定する。制御部１０は、各押釦スイッチＢ１，Ｂ２の入力を監視している。そして、制御部１０は、調光時間帯における照明負荷Ｌ１の調光レベルを、第１押釦スイッチＢ１の押操作に応じて下げ、第２押釦スイッチＢ２の押操作に応じて上げる。したがって、制御部１０は、調光時間帯において照明負荷Ｌ１の点灯制御を行う際には、照度設定部２６で設定した調光レベルまで照明負荷Ｌ１の光出力を増大させる。
【００３８】
本実施形態では、図４（ｂ）に示すように、調光時間帯における照明負荷Ｌ１の上限照度を、後述する下限照度設定部２７で設定した下限照度＋１０％の調光レベルから、全点灯の５０％の調光レベルまでの範囲で設定することが可能である。なお、調光時間帯における照明負荷Ｌ１の上限照度は、デフォルトでは全点灯の２０％に設定されている。
【００３９】
下限照度設定部２７は、照度設定部２６と同様に第１押釦スイッチＢ１と、第２押釦スイッチＢ２とを有し、使用者の操作入力に基づいて照明負荷Ｌ１の下限照度を設定する。本実施形態では、各押釦スイッチＢ１，Ｂ２を照度設定部２６と下限照度設定部２７とで兼用している。すなわち、通常時においては、各押釦スイッチＢ１，Ｂ２は照度設定部２６として機能するが、各押釦スイッチＢ１，Ｂ２を同時押しすることにより、下限照度設定部２７としての機能に切り換えることができる。なお、各押釦スイッチＢ１，Ｂ２が下限照度設定部２７として機能している間は、表示部１５が点滅する。このため、各押釦スイッチＢ１，Ｂ２が何れの設定部として機能しているかを視認することができる。
【００４０】
以下、照明負荷Ｌ１の下限照度を設定する方法について説明する。先ず、各押釦スイッチＢ１，Ｂ２を同時押しすることで、各押釦スイッチＢ１，Ｂ２を下限照度設定部２７として機能するように切り換える。次に、第１押釦スイッチＢ１を押操作することで照明負荷Ｌ１の調光レベルを下げていき、照明負荷Ｌ１が消灯する調光レベルを探す。そして、照明負荷Ｌ１が消灯する調光レベルに達すると、その後第２押釦スイッチＢ２を１回だけ押操作することで、照明負荷Ｌ１が点灯する最低限の調光レベルを見つけることができる。この調光レベル以上の調光レベルに設定した上で再度各押釦スイッチＢ１，Ｂ２を同時押しすると、各押釦スイッチＢ１，Ｂ２が照度設定部２６としての機能に切り換えられる。そして、設定した調光レベルを下限照度として制御部１０に記憶させることができる。
【００４１】
本実施形態では、図４（ｂ）に示すように、照明負荷Ｌ１の下限照度を、全点灯の０％の調光レベルから、全点灯の３０％の調光レベルまでの範囲で設定することが可能である。なお、調光時間帯における照明負荷Ｌ１の下限照度は、デフォルトでは全点灯の１０％に設定されている。
【００４２】
以下、本実施形態における照明負荷Ｌ１の点灯動作について図面を用いて説明する。なお、明るさセンサＳ２が検知する照度が明るさセンサ設定部２４で設定した閾値以上の場合、すなわち、昼間など周囲が明るい場合には、人感センサＳ１が人を検知しても照明負荷Ｌ１の点灯動作を行わない。このため、本実施形態では、昼間のように周囲が明るい場合には照明負荷Ｌ１を点灯させないので、無駄な電力消費を抑制することができる。
【００４３】
先ず、通常時の動作について説明する。なお、通常時の動作とは、調光時間帯以外の時間帯での動作を指す。図１（ｂ）に示すように、人感センサＳ１が人を検知すると、制御部１０は、一定時間（ここでは、２．５秒）をかけて照明負荷Ｌ１が全点灯するまで徐々に光出力を増大させる点灯制御を行う。人感センサＳ１が人を検知しなくなると、制御部１０は、全点灯の５０％の光出力となる調光レベルで照明負荷Ｌ１の点灯制御を開始することで、消灯予告点灯を行う。その後、点灯保持時間設定部２４で設定した点灯保持時間（例えば、６秒）が経過すると、制御部１０は照明負荷Ｌ１を消灯させる。
【００４４】
次に、調光時間帯での動作について説明する。図１（ｂ）に示すように、人感センサＳ１が人を検知すると、制御部１０は、先ず下限照度設定部２６で設定した下限照度で照明負荷Ｌ１を点灯させる。そして、制御部１０は、一定時間（ここでは、２．５秒）をかけて照度設定部２６で設定した調光レベルまで光出力が徐々に増大するように照明負荷Ｌ１の点灯制御を行う。ここで、調光時間帯においては、照明負荷Ｌ１の光出力が通常時よりも小さくなるように減光する。したがって、深夜等の使用者が就寝する可能性の高い時間帯を調光時間帯に設定しておけば、例えば使用者がトイレに向かう場合に、照明負荷Ｌ１の光出力を抑制することで、使用者が眩しさを感じたり、覚醒してしまったりするのを防止することができる。
【００４５】
人感センサＳ１が人を検知しなくなると、制御部１０は、照度設定部２６で設定した調光レベルの５０％の光出力となる調光レベルで照明負荷Ｌ１の点灯制御を開始することで、消灯予告点灯を行う。なお、５０％の光出力となる調光レベルが下限照度を下回る場合には、制御部１０は下限照度で照明負荷Ｌ１を点灯させる。そして、制御部１０は、点灯保持時間が経過すると、制御部１０は照明負荷Ｌ１を消灯させる。
【００４６】
ここで、従来の照明制御スイッチでは、図６（ａ）に示すように、人感センサＳ１が人を検知しなくなると、照明負荷Ｌ１の光出力が５０％まで減光するように照明負荷Ｌ１への供給電力量を減らして消灯予告点灯を行う。仮に照明負荷Ｌ１を全点灯の１８％の光出力で点灯させていた場合、その５０％の光出力は全点灯の９％となる。この場合、照明負荷Ｌ１の光出力が全点灯の９％となるように照明負荷Ｌ１へ電力を供給するが、照明負荷Ｌ１の下限照度が全点灯の１０％であれば、電力供給量が足りずに照明負荷Ｌ１が直ぐに消灯して消灯予告点灯が行われない。
【００４７】
一方、本実施形態では、照明負荷Ｌ１の下限照度を下限照度設定部２７で設定することができる。そして、本実施形態では、図６（ｂ）に示すように、人感センサＳ１が人を検知しなくなると、制御部１０が照明負荷Ｌ１を下限照度以上の照度で一定時間点灯させてから消灯させる消灯予告点灯を行う。したがって、本実施形態では、照明負荷Ｌ１を消灯する際に消灯予告点灯が行われないのを防止することができる。
【００４８】
なお、本実施形態は、トイレでの使用を想定して照明負荷Ｌ１のみならず換気扇Ｆ１も制御する構成となっているが、換気扇Ｆ１を制御する構成は必ずしも備えなくてもよい。例えば、本実施形態から換気扇Ｆ１を制御する構成を除いたものを、従来のように廊下灯や階段灯などの照明負荷Ｌ１の制御に用いてもよいことは言うまでもない。
【００４９】
また、本実施形態では、照明負荷Ｌ１としてＬＥＤランプを想定しているが、従来のように白熱電球を照明負荷Ｌ１として用いてもよい。白熱電球を照明負荷Ｌ１として用いる場合には、下限照度設定部２７において全点灯の０％の調光レベルに下限照度を設定すればよい。
【符号の説明】
【００５０】
１０  制御部
２７  下限照度設定部
Ｌ１  照明負荷
Ｓ１  人感センサ
【図１】
2014086189.tif 000003
【図２】
2014086189.tif 000004
【図３】
2014086189.tif 000005
【図４】
2014086189.tif 000006
【図５】
2014086189.tif 000007
【図６】
2014086189.tif 000008